(57)【要約】【課題】磁気共鳴映像の品質および被検体の安全を確保しつつ、マグネットアセンブリ内の音声を高効率で取得可能な磁気共鳴映像撮像装置を提供すること。【解決手段】ＭＲＩ装置は、静磁場発生磁石１，２、勾配磁場発生コイル３、ＲＦコイル４によってマグネットアセンブリを形成し、アーム１２を用いてマグネットアセンブリ内に光マイク１１を固定する。光ファイバ１３から光マイク１１に信号光を照射し、その反射光を音声データとして光ファイバ１３に再度入射する。さらにマグネットアセンブリの外部に設けた光電気変換器１４によって反射光を電気信号に変換することで、マグネットアセンブリ内に磁性体や導電体を導入することなく被検体６の音声を取得する。【選択図】　　　図１
2004008356.tif 000002
【特許請求の範囲】
【請求項１】
勾配磁場を発生する勾配磁場発生手段、静磁場を発生する静磁場発生磁石およびＲＦコイルを設けたマグネットアセンブリを備え、該マグネットアセンブリ内に載置した被検体の磁気共鳴映像を撮像する磁気共鳴映像撮像装置であって、
前記マグネットアセンブリの内部に配置され、該マグネットアセンブリ内の音声を取得する、非磁性かつ電気絶縁体によって構成された音声取得部を備えたことを特徴とする磁気共鳴映像撮像装置。
【請求項２】
前記音声取得部は、音波によって振動する振動板を備え、該振動板に照射した光の反射光を音声データとして出力する光マイクであることを特徴とする請求項１に記載の磁気共鳴映像撮像装置。
【請求項３】
前記マグネットアセンブリ内に配置され、前記音声取得部を前記マグネットアセンブリ内の任意の位置に固定する支持アームを備えたことを特徴とする請求項１または２に記載の磁気共鳴映像撮像装置。
【請求項４】
前記音声取得部は、被検体の任意の位置に装着可能な装着部をさらに備えたことを特徴とする請求項１または２に記載の磁気共鳴映像撮像装置。
【請求項５】
前記音声取得部は、前記被検体の所定位置における振動を検知する振動検知部を備え、該振動検知部に照射した光の反射光を音声データとして出力することを特徴とする請求項１に記載の磁気共鳴映像撮像装置。
【請求項６】
前記マグネットアセンブリの外部に設けられ、前記音声取得部が出力した音声データを電気信号に変換する変換処理部をさらに備えたことを特徴とする請求項２〜５のいずれか一つに記載の磁気共鳴映像撮像装置。
【請求項７】
前記マグネットアセンブリ内に配置され、該マグネットアセンブリ内に音声を出力する、非磁性かつ電気絶縁体によって構成された音声出力部をさらに備えたことを特徴とする請求項１〜６のいずれか一つに記載の磁気共鳴映像撮像装置。
【請求項８】
前記音声出力手段は、空気圧によって振動を伝達することを特徴とする請求項７に記載の磁気共鳴映像撮像装置。
【請求項９】
前記音声取得部を被検体の口の近傍に固定し、前記音声出力部を被検体の耳の近傍に固定する固定手段をさらに備えたことを特徴とする請求項７または８に記載の磁気共鳴映像撮像装置。
【発明の詳細な説明】
【０００１】
【発明の属する技術分野】
本発明は、勾配磁場を発生する勾配磁場発生手段、静磁場を発生する静磁場発生磁石およびＲＦコイルを設けたマグネットアセンブリを備え、該マグネットアセンブリ内に載置した被検体の磁気共鳴映像を撮像する磁気共鳴映像撮像装置に関し、特に、マグネットアセンブリ内の音声を高効率で取得可能な磁気共鳴映像撮像装置に関する。
【０００２】
【従来の技術】
従来、核磁気共鳴現象を用いて撮影対象物の内部構造を画像化する磁気共鳴映像撮像装置（以下「ＭＲＩ装置」と言う）が知られている。核磁気共鳴現象は生体に対して無害であるため、ＭＲＩ装置は、特に医療用として有用であり、脳腫瘍の診断などに用いられる。
【０００３】
この核磁気共鳴現象とは、一様な静磁場が印加された物体において、物体を構成する原子の原子核のスピン方向が揃い、静磁場の強度に比例した周波数（以下「共鳴周波数」と言う）の電磁波を吸収、放出する現象である。ＭＲＩ装置は、特定の核種（主に水素原子）に対して核磁気共鳴現象を利用することで、撮影対象物の任意の断層面を任意の厚さで画像化することができる。
【０００４】
核磁気共鳴現象を用いて撮影対象物の内部構造を画像化する場合、位置情報を調べるために、静磁場とは別に空間的および時間的に変動する勾配磁場を撮影対象物に対して印加する。勾配磁場を印加することによって、撮影対象物に印加される磁場は場所によって異なることとなり、撮影対象物を構成する各原子の共鳴周波数は場所によって変化する。したがって、勾配磁場を印加して共鳴周波数を調べることで、撮影対象物のどの位置にどのような原子が存在するかを知ることができる。以上が、ＭＲＩ装置による物体の内部構造撮影のメカニズムである。
【０００５】
図７は、従来技術に属するＭＲＩ装置の概要構成を示す図である。図７において、ＭＲＩ装置は、静磁場発生磁石１，２、勾配磁場発生コイル３、ＲＦコイル４からなるマグネットアセンブリを備えている。このマグネットアセンブリでは、最外周にリング状の静磁場発生磁石１，２を配し、その内側に円筒状の勾配磁場発生コイル３を設けている。さらに勾配磁場発生コイル３の内側に円筒状のＲＦコイル４を設け、ＲＦコイル４の内部に被検体６を載置した載置台５を挿入可能としている。
【０００６】
また、静磁場発生磁石１，２、勾配磁場発生コイル３、ＲＦコイル４は、それぞれ画像処理部７に接続されている。画像処理部７は、静磁場発生磁石１，２および勾配磁場発生コイル３に電力を供給してマグネットアセンブリ内に静磁場および勾配磁場を印加し、さらにＲＦコイル４からマグネットアセンブリ内に電磁波を照射して被検体６に共鳴周波数の電磁波を吸収させる。また、画像処理部７は、被検体６が放出した共鳴周波数の電磁波をＲＦコイル４によって吸収し、吸収した電磁波をもとに磁気共鳴映像を生成する。
【０００７】
さらに、被検体６となった人物との会話をおこなうため、ＭＲＩ装置は、電気マイク１０１、スピーカ１０３、およびこれらとの通信をおこなう通信部１０４を備えている。これは、マグネットアセンブリ内の被検体６に対して各種の指示を伝える場合や、被検体６からの要望を伝えるために用いられる。被検体６である人物は必ずしもＭＲＩ装置について見識があるとは限らないため、被検体６に対する指示は、磁気共鳴映像を正確に撮像するために必須である。さらに、被検体６は、狭いマグネットアセンブリ内で、所定時間の間、一定の姿勢を保つ必要があるため、被検体６の音声をＭＲＩ装置の操作者に伝えることは、被検体６の安全を確保するために非常に重要である。
【０００８】
ところで、電気マイク１０１、および電気マイク１０１と通信部１０４とを接続する電気配線１０２は、ＲＦコイル４の外側、望ましくはマグネットアセンブリの外側に設ける必要がある。同様に、スピーカ１０３もＲＦコイル４の外側、望ましくはマグネットアセンブリの外側に設ける必要がある。電気マイク１０１、電気配線１０２、およびスピーカ１０３は、それぞれ、電気導電体であるので、ＲＦコイルの近傍に配置した場合には、電磁波の送受信特性に影響を与え、磁気共鳴映像の画質を劣化させ、また、これらに磁性体が含まれている場合には磁気共鳴装置の主磁場に影響を与え、同様に磁気共鳴映像の画質を劣化させる為である。さらに、マグネットアセンブリ内の導電体は、電磁波の送受信時に発熱し、被検体６に火傷を負わせる可能性がある。したがって、被検体６の安全確保のためにも、導電体はなるべく被検体６から離して設置する必要があった。
【０００９】
【発明が解決しようとする課題】
しかしながら、上述した従来のＭＲＩ装置では、被検体から離れた位置にマイクを設置せざるを得ないため、マイクの信号雑音比（ＳＮ比）は劣悪なものであった。特に、勾配磁場の印加中は勾配磁場発生コイルが音を発するため、その内部から発せられた音声を取得するのは困難であった。すなわち、従来のＭＲＩ装置では、マグネットアセンブリ内の音声を十分に取得することができないという問題点があった。
【００１０】
さらに、従来のＭＲＩ装置では、マグネットアセンブリの外部に設けたスピーカから音声を出力しているので、マグネットアセンブリの内部ではその音声を聞き取ることが困難であるという問題点があった。
【００１１】
また、マイクやスピーカのＳＮ比を優先し、これらをマグネットアセンブリ内に設けた場合には、磁気共鳴映像の画質が劣化し、さらには被検体６の安全性を確保することができないという問題点があった。
【００１２】
本発明は、上記従来技術の欠点に鑑みてなされたものであって、磁気共鳴映像の品質および被検体の安全を確保しつつ、マグネットアセンブリ内の音声を高効率で取得可能な磁気共鳴映像撮像装置を提供することを目的とする。
【００１３】
【課題を解決するための手段】
上述した課題を解決し、目的を達成するため、第１の観点にかかる発明は、勾配磁場を発生する勾配磁場発生手段、静磁場を発生する静磁場発生磁石およびＲＦコイルを設けたマグネットアセンブリを備え、該マグネットアセンブリ内に載置した被検体の磁気共鳴映像を撮像する磁気共鳴映像撮像装置であって、前記マグネットアセンブリの内部に配置され、該マグネットアセンブリ内の音声を取得する、非磁性かつ電気絶縁体によって構成された音声取得部を備えたことを特徴とする。
【００１４】
この第１の観点にかかる発明によれば、勾配磁場発生手段、静磁場を発生する静磁場発生磁石およびＲＦコイルによって構成されたマグネットアセンブリ内に、非磁性かつ電気絶縁体からなる音声取得部を設けることで、ＭＲＩ装置の電磁波送受信特性に影響をあたえることなく、かつ被検体に火傷などの危険を及ぼすことなく、被検体の音声を高効率で取得することができる。
【００１５】
また、第２の観点にかかる発明は、第１の観点にかかる発明において、前記音声取得部は、音波によって振動する振動板を備え、該振動板に照射した光の反射光を音声データとして出力する光マイクであることを特徴とする。
【００１６】
この第２の観点にかかる発明によれば、光マイクをマグネットアセンブリ内に設け、光マイクの振動板を音波によって振動させ、さらに振動板に照射した光の反射光を取得することで、非磁性かつ電気絶縁体による音声取得部を実現し、ＭＲＩ装置の電磁波送受信特性に影響をあたえることなく、かつ被検体に火傷などの危険を及ぼすことなく、被検体の音声を取得するようにしているので、磁気共鳴映像の品質および被検体の安全を確保しつつ、マグネットアセンブリ内の音声を高効率で取得可能な磁気共鳴映像撮像装置を簡易な構成で得ることができる。
【００１７】
また、第３の観点にかかる発明は、第１または第２の観点にかかる発明において、前記マグネットアセンブリ内に配置され、前記音声取得部を前記マグネットアセンブリ内の任意の位置に固定する支持アームを備えたことを特徴とする。
【００１８】
この第３の観点にかかる発明によれば、非磁性かつ電気絶縁体からなる支持アームによって、マグネットアセンブリ内の任意の場所に音声取得部を固定するようにしているので、取得する音声のＳＮ比を最適な状態に調整可能な磁気共鳴映像撮像装置を得ることができる。
【００１９】
また、第４の観点にかかる発明は、第１または第２の観点にかかる発明において、前記音声取得部は、被検体の任意の位置に装着可能な装着部をさらに備えたことを特徴とする。
【００２０】
この第４の観点にかかる発明によれば、被検体に音声取得部をあらかじめ装着し、取得する音声のＳＮ比を最適な状態に調整した後に被検体をマグネットアセンブリ内に搬入することができるので、取得する音声のＳＮ比を最適な状態に簡易に調整可能な磁気共鳴映像撮像装置を得ることができる。
【００２１】
また、第５の観点にかかる発明は、第１の観点にかかる発明において、前記音声取得部は、前記被検体の所定位置における振動を検知する振動検知部を備え、該振動検知部に照射した光の反射光を音声データとして出力することを特徴とする。
【００２２】
この第５の観点にかかる発明によれば、音声取得部を被検体に直接装着し、被検体の振動を振動検知部によって検知し、振動検知部に照射した光の反射光を音声データとして用いるようにしているので、マグネットアセンブリ内に発生する雑音を取得することなく、さらにＳＮ比の良好な磁気共鳴映像撮像装置を得ることができる。
【００２３】
また、第６の観点にかかる発明は、第２〜第５の観点にかかる発明において、前記マグネットアセンブリの外部に設けられ、前記音声取得部が出力した音声データを電気信号に変換する変換処理部をさらに備えたことを特徴とする。
【００２４】
この第６の観点にかかる発明によれば、マグネットアセンブリ内の音声を光信号として取得し、光ファイバによってマグネットアセンブリの外部に伝達し、マグネットアセンブリの外部において光信号を電気信号に変換しているので、磁気共鳴映像の品質および被検体の安全を確保しつつ、マグネットアセンブリ内の音声を高効率で取得可能な磁気共鳴映像撮像装置を簡易な構成で得ることができる。
【００２５】
また、第７の観点にかかる発明は、第１〜第６の観点にかかる発明において、前記マグネットアセンブリ内に配置され、該マグネットアセンブリ内に音声を出力する、非磁性かつ電気絶縁体によって構成された音声出力部をさらに備えたことを特徴とする。
【００２６】
この第７の観点にかかる発明によれば、勾配磁場発生手段、静磁場を発生する静磁場発生磁石およびＲＦコイルによって構成されたマグネットアセンブリ内に、非磁性かつ電気絶縁体からなる音声出力部を設けることで、ＭＲＩ装置の電磁波送受信特性に影響をあたえることなく、かつ被検体に火傷などの危険を及ぼすことなく、被検体の音声を高効率で伝達することができる。
【００２７】
また、第８の観点にかかる発明は、第７の観点にかかる発明において、前記音声出力手段は、空気圧によって振動を伝達することを特徴とする。
【００２８】
この第８の観点にかかる発明によれば、空気の振動によって音声を伝達する音声出力部をマグネットアセンブリ内に設けることで、ＭＲＩ装置の電磁波送受信特性に影響をあたえることなく、かつ被検体に火傷などの危険を及ぼすことなく、被検体に音声を伝達するようにしているので、磁気共鳴映像の品質および被検体の安全を確保しつつ、マグネットアセンブリ内に音声を高効率で伝達可能な磁気共鳴映像撮像装置を得ることができる。
【００２９】
また、第９の観点にかかる発明は、第７または第８の観点にかかる発明において、前記音声取得部を被検体の口の近傍に固定し、前記音声出力部を被検体の耳の近傍に固定する固定手段をさらに備えたことを特徴とする。
【００３０】
この第９の観点にかかる発明によれば、固定手段によって音声取得部を被検体の口の近傍に固定し、さらに音声出力部を被検体の耳の近傍に固定することで、被検体との会話を高いＳＮ比で実現可能な磁気共鳴映像撮像装置を得ることができる。
【００３１】
【発明の実施の形態】
以下、図面を参照して本発明の実施の形態にかかる磁気共鳴映像撮像装置について詳細に説明する。
【００３２】
実施の形態１．
この実施の形態１では、非磁性かつ電気絶縁体である光マイクをマグネットアセンブリの内部に設けることで、音声を高効率で取得可能なＭＲＩ装置について説明する。
【００３３】
図１は、本発明の実施の形態１にかかるＭＲＩ装置の概要構成を示す構成図である。図１において、ＭＲＩ装置は、静磁場発生磁石１，２、勾配磁場発生コイル３、ＲＦコイル４からなるマグネットアセンブリを備えている。このマグネットアセンブリでは、最外周にリング状の静磁場発生磁石１，２を配し、その内側に円筒状の勾配磁場発生コイル３を設けている。さらに勾配磁場発生コイル３の内側に円筒状のＲＦコイル４を設け、ＲＦコイル４の内部に被検体６を載置した載置台５を挿入可能としている。
【００３４】
また、静磁場発生磁石１，２、勾配磁場発生コイル３、ＲＦコイル４は、それぞれ画像処理部７に接続されている。画像処理部７は、静磁場発生磁石１，２および勾配磁場発生コイル３に電力を供給してマグネットアセンブリ内に静磁場および勾配磁場を印加し、さらにＲＦコイル４からマグネットアセンブリ内に電磁波を照射して被検体６に共鳴周波数の電磁波を吸収させる。また、画像処理部７は、被検体６が放出した共鳴周波数の電磁波をＲＦコイル４によって吸収し、吸収した電磁波をもとに磁気共鳴映像を生成する。
【００３５】
さらに、ＭＲＩ装置は、被検体６となった人物と会話をおこなうため、光マイク１１、スピーカ１５、およびこれらとの通信をおこなう通信部１６を備えている。この光マイク１１は、光ファイバ１３および光電気変換器１４を介して通信部１６に接続される。また、光マイク１１は、マグネットアセンブリ内部にアーム１２によって固定され、スピーカ１５は、マグネットアセンブリの外部に設置される。通信部１６は、スピーカ１５によってマグネットアセンブリの外部から音声の出力をおこなう。また、通信部１６は、光マイク１１によってマグネットアセンブリの内部から音声の入力を受ける。
【００３６】
つぎに、図２を参照し、光マイク１１を用いた音声の入力について説明する。図２は、光マイク１１を用いた音声の入力を説明する説明図である。図２に示すように、光マイク１１は、その内部に振動板１１ａを備えている。また、光マイク１１は、光ファイバ１３を介して光電気変換器１４に接続されている。さらに、光電気変換器１４は、通信部１６に電気的に接続されている。
【００３７】
また、光電気変換器１４は、その内部に発光素子１４ａおよび受光素子１４ｂを備えている。発光素子１４ａは、通信部１６から受信した電気信号を光信号に変換し、光ファイバ１３に入射する。この発光素子１４ａとしては、例えばレーザダイオードなどを用いればよい。光ファイバ１３は、発光素子１４ａが入射した光信号を光マイク１１内の振動板１１ａに照射する。振動板１１ａは、照射された光信号を反射して光ファイバ１３に再度入射する。一方で、振動板１１ａは、音波によって振動するため、その振動状態によって、反射光の状態が変化する。すなわち、振動板１１ａが光ファイバ１３に入射する反射光は、音声の状態を示す音声データとして機能することとなる。
【００３８】
光ファイバ１３は、音声データである反射光を光電気変換器１４に伝達する。受光素子１４ｂは、光ファイバ１３が出力した反射光を電気信号に変換し、通信部１６に出力する。この受光素子１４ｂとしては、例えばフォトダイオードなどを用いればよい。
【００３９】
ここで、光マイク１１および光ファイバ１３は、電気を用いていないため、非磁性かつ電気絶縁体によって構成することができる。したがって、光マイク１１および光ファイバ１３をマグネットアセンブリの内部に配設した場合であっても、電磁波の送受信特性に影響を与えることがない。また、電磁波の送受信時に発熱を伴うことがないため、光マイク１１を被検体６の近傍に設けた場合であっても被検体６に危険を及ぼすことがない。
【００４０】
このように、非磁性かつ電気絶縁体である光マイク１１および光ファイバ１３を用いることで、ＭＲＩ装置のマグネットアセンブリの内部にマイクを設けることができ、被検体６の音声を高効率で取得することができる。さらに、非磁性かつ電気絶縁体からなるアーム１２を用いることで、マグネットアセンブリ内の任意の場所、例えば被検体６の口部近傍に光マイク１１を固定することができるので、音声のＳＮ比をさらに向上させることができる。
【００４１】
ところで、光マイクの固定は必ずしもアームによっておこなうことを必要とするものではない。たとえばクリップなどを用いて被検体６に光マイクを装着させるようにしてもよい。図３は、光マイクを被検体に装着した場合のＭＲＩ装置の概要構成を示す説明図である。図３では、光マイク３１に装着部３２を設け、この装着部３２によって被検体６に直接装着するようにしている。その他の構成および動作は図１に示したＭＲＩ装置と同様であり、同一の構成要素には同一の符号を付して説明を省略する。
【００４２】
このように、装着部３２を設けて光マイク３１を被検体６に直接装着する場合、あらかじめ被検体６に光マイクを装着させた状態で載置台５に載置し、マグネットアセンブリ内に搬入することができるので、被検体６に対する光マイク３１の位置決めを容易かつ確実におこなうことができる。なお、装着部３２としては、クリップや粘着テープなどを、任意の方式を用いることができる。
【００４３】
ここで、ＭＲＩ装置は、その検査目的に応じていくつかの種類が存在する。図１および図３に示したＭＲＩ装置は、被検体６の全身のうち、任意の位置を撮像可能な全身用のＭＲＩ装置であるが、たとえば頭部の撮像に特化した頭部用ＭＲＩ装置が実用化されている。図４は、光マイクを設けた頭部用ＭＲＩ装置の概要構成を示す概要構成図である。図４において、ＭＲＩ装置は、図１および図３に示したＲＦコイル４にかえて、被検体６の頭部のみを覆うＲＦコイル４２を備えている。さらに、ＲＦコイル４２には、光マイク１１が設けられている。その他の構成および動作は、図１および図３に示したＭＲＩ装置と同様であり、同一の構成要素には同一の符号を付して説明を省略する。
【００４４】
図４に示した頭部用ＭＲＩ装置では、ＲＦコイル４２が被検体６の頭部のみを選択的に覆う構成となっているため、光ファイバマイクをＲＦコイル４２に設けることで、被検体６の口近傍から音声の取得を行うことができる。このように、光マイクおよび光ファイバを非磁性かつ電気絶縁体とすることで、マグネットアセンブリ内の任意の場所に光マイクを設置することができ、各種ＭＲＩ装置に最適な構成を用いることができる。
【００４５】
以上説明したように、この実施の形態１では、マグネットアセンブリ内に設けた非磁性かつ電気絶縁体からなる光マイクによって音声を取得し、音声データを光ファイバによって伝達し、マグネットアセンブリの外部で光信号である音声データを電気信号に変換するようにしているので、磁気共鳴映像の品質および被検体の安全を確保しつつ、マグネットアセンブリ内の音声を高効率で取得することができる。
【００４６】
実施の形態２．
この実施の形態２では、空気圧によって音声を伝達するエアチューブを用い、マグネットアセンブリの内部において音声を出力するＭＲＩ装置について説明する。
【００４７】
図５は、本発明の実施の形態２にかかるＭＲＩ装置の概要構成を示す構成図である。図５に示したＭＲＩ装置おいて、静磁場発生磁石１，２、勾配磁場発生コイル３、ＲＦコイル４からなるマグネットアセンブリ、および画像処理部７による磁気共鳴映像の撮像については、実施の形態１に示したＭＲＩ装置と同様であり、ここでは説明を省略する。
【００４８】
このＭＲＩ装置では、被検体６となった人物と会話をおこなうため、被検体６の頭部に装着し、音声の入出力をおこなうヘッドセット５３と、ヘッドセット５３に接続される通信部１６とを備えている。また、ヘッドセット５３は、光マイク５１およびイヤホン５２を備えている。この光マイク５１は、光ファイバ１３および光電気変換器１４を介して通信部１６に接続される。また、イヤホン５２は、エアチューブ５４および圧力制御部５５を介して通信部１６に接続される。ここで、光マイク５１を用いて、マグネットアセンブリ内の音声を取得する場合については、実施の形態１に示した光マイク１１と同様であり、ここでは説明を省略する。
【００４９】
このＭＲＩ装置で音声をマグネットアセンブリ内に音声を出力する場合、まず、通信部１６から圧力制御部５５に音声データを電気信号として出力する。圧力制御部５５は、通信部１６から受信した電気信号を、空気の振動に変換する。さらに圧力制御部５５は、空気の振動をエアチューブ５４によって伝達し、ヘッドセット５３に設けたイヤホン５２から出力する。
【００５０】
ここで、イヤホン５２およびエアチューブ５４は、電気を用いていないため、非磁性かつ電気絶縁体によって構成することができる。したがって、イヤホン５２およびエアチューブ５４をマグネットアセンブリの内部に配設した場合であっても、電磁波の送受信特性に影響を与えることがない。また、電磁波の送受信時に発熱を伴うことがないため、イヤホン５２を被検体６の近傍に設けた場合であっても被検体６に危険を及ぼすことがない。
【００５１】
このように、非磁性かつ電気絶縁体であるイヤホン５２およびエアチューブ５４を用いることで、ＭＲＩ装置のマグネットアセンブリの内部にイヤホンを設けることができ、高効率で音声を出力することができる。さらに、非磁性かつ電気絶縁体からなるヘッドセット５３を用いることで、イヤホン５２を被検体６の耳近傍に固定し、光マイク５１を被検体６の口近傍に固定することができるので、マグネットアセンブリ内との会話を高いＳＮ比で実現することができる。
【００５２】
なお、イヤホンおよび光マイクの固定は必ずしもヘッドセットによっておこなうことを必要とするものではなく、任意の方式を用いることができる。また、光マイクは必ずしも空気の振動の検知を必要とするものではない。たとえば、イヤホンは、耳に直接装着するものとしてもよい。また、光マイクを、被検体６に直接装着し、被検体の発生によって生じる被検体自体の振動を検知するようにしても良い。図６を参照し、イヤホンを直接耳に装着し、かつ光マイクを被検体に装着した場合について説明する。
【００５３】
図６において、イヤホン６２は、耳に挿入して固定している。イヤホン６２は、エアチューブ５４が伝達する空気の振動を直接被検体６の耳に伝えることで、被検体６に音声を伝達する。また、光マイク６１は、被検体６に貼付され、被検体６が発声した場合に生ずる振動に伴って振動する。光マイク６１は、光ファイバ１３から信号光を入射され、信号光を反射して光ファイバ１３に再度入射する。この時、光マイク６１の振動によって反射光が変化し、音声データとして機能する点においては、上述の振動板を用いた光マイク１１，３１，４１，５１と同様である。
【００５４】
以上説明したように、この実施の形態２では、マグネットアセンブリ内に設けた非磁性かつ電気絶縁体からなるエアチューブによって音声を伝達するようにしているので、磁気共鳴映像の品質および被検体の安全を確保しつつ、被検体６に高効率で音声を伝達することができる。
【００５５】
また、光マイクの構成を、被検体６の振動から音声データを取得する方式とすることで、マグネットアセンブリ内に発生する雑音に影響されることなく、被検体６の音声を高いＳＮ比で取得することができる。
【００５６】
【発明の効果】
上述してきたように、本発明によれば、マグネットアセンブリ内に設けた非磁性かつ電気絶縁体からなる光マイクによって音声を取得し、音声データを光ファイバによって伝達し、マグネットアセンブリの外部で光信号である音声データを電気信号に変換するようにしているので、磁気共鳴映像の品質および被検体の安全を確保しつつ、マグネットアセンブリ内の音声を高効率で取得可能な磁気共鳴映像撮像装置を得ることができるという効果を奏する。
【００５７】
また、本発明によれば、マグネットアセンブリ内に設けた非磁性かつ電気絶縁体からなるエアチューブによって音声を伝達するようにしているので、磁気共鳴映像の品質および被検体の安全を確保しつつ、被検体６に高効率で音声を伝達可能な磁気共鳴映像撮像装置を得ることができるという効果を奏する。
【図面の簡単な説明】
【図１】本発明の実施の形態１にかかるＭＲＩ装置の概要構成を示す構成図である。
【図２】図１に示した光マイクを用いた音声の入力を説明する説明図である。
【図３】光マイクを被検体に装着した場合のＭＲＩ装置の概要構成を示す説明図である。
【図４】光マイクを設けた頭部用ＭＲＩ装置の概要構成を示す概要構成図である。
【図５】本発明の実施の形態２にかかるＭＲＩ装置の概要構成を示す構成図である。
【図６】イヤホンを直接耳に装着し、光マイクを被検体に装着した場合について説明する説明図である。
【図７】従来のＭＲＩ装置の概要構成を説明する説明図である。
【符号の説明】
１，２　静磁場発生磁石
３　勾配磁場発生コイル
４，４２　ＲＦコイル
５　載置台
６　被検体
７　画像処理部
１１，３１，４１，５１，６１　光マイク
１１ａ　振動板
１２　アーム
１３　光ファイバ
１４　光電気変換器
１４ａ　発光素子
１４ｂ　受光素子
１５　スピーカ
１６　通信部
３２　装着部
５２，６２　イヤホン
５３　ヘッドセット
５４　エアチューブ
５５　圧力制御部
【図１】
2004008356.tif 000003
【図２】
2004008356.tif 000004
【図３】
2004008356.tif 000005
【図４】
2004008356.tif 000006
【図５】
2004008356.tif 000007
【図６】
2004008356.tif 000008
【図７】
2004008356.tif 000009